(57)【特許請求の範囲】
【請求項１】
第１の超伝導材料を備える少なくとも１つの導体をもつ少なくとも１つの第１の主コイル部分（１）と、第２の超伝導材料を備える少なくとも１つの導体をもつ少なくとも１つの第２の主コイル部分（２）とを備える超伝導磁石コイルシステムであって、
前記第１の超伝導材料は前記第２の超伝導材料よりも高い臨界温度を有し、
前記第１および前記第２の主コイル部分（１、２）は、動作中に電流がそれらの中を同じ方向に流れるような方法で直列に互いに接続され、
前記第１の主コイル部分（１）および前記第２の主コイル部分（２）は、共通の第１のクエンチ保護要素（６、６’）によってブリッジされ、前記第１のクエンチ保護要素（６、６’）とともに第１の電気ループを形成し、
前記超伝導磁石コイルシステムは、第２の電気ループの一部である超伝導材料から作られた導体をもつ少なくとも１つの第３の主コイル部分を備え、前記第２の電気ループは第２のクエンチ保護要素（８、８’、８’’）を備え、前記第１の電気ループに直列に接続され、
前記超伝導磁石コイルシステムは、前記第１の電気ループ内の前記電流の低減のために加熱電圧を供給され得る少なくとも１つの第１の加熱要素（９）を備え、
前記第１の電気ループの前記直列接続された主コイル部分（１、２）のうち前記第２の主コイル部分（２）のみが前記第１の加熱要素（９）と熱的に接触していることを特徴とする超伝導磁石コイルシステム。
【請求項２】
前記第１の主コイル部分（１）は、好ましくは、前記超伝導磁石コイルシステムのすべての前記主コイル部分（１、２、３、４、１４）のうち最も高い臨界温度を有する前記主コイル部分であることを特徴とする請求項１に記載の超伝導磁石コイルシステム。
【請求項３】
前記第１の超伝導材料はＨＴＳ材料であることを特徴とする請求項１または２に記載の超伝導磁石コイルシステム。
【請求項４】
前記第２の超伝導材料はＬＴＳ材料、好ましくはＮｂＴｉまたはＮｂ３Ｓｎであることを特徴とする請求項１から３のいずれか一項に記載の超伝導磁石コイルシステム。
【請求項５】
前記第２のクエンチ保護要素（８、８’、８’’）は前記第３の主コイル部分（３）をブリッジすることを特徴とする請求項１から４のいずれか一項に記載の超伝導磁石コイルシステム。
【請求項６】
前記第１の主コイル部分および前記第２の主コイル部分は半径方向において互いの直後にくることを特徴とする請求項１から５のいずれか一項に記載の超伝導磁石コイルシステム。
【請求項７】
前記第２のクエンチ保護要素（８’’）は、前記第３の主コイル部分（３）と、超伝導材料から作られた導体をもつ第４の主コイル部分（１４）とを備える直列接続をブリッジし、前記第４の主コイル部分（１４）の前記超伝導材料は、前記第３の主コイル部分（３）の前記超伝導材料よりも高い臨界温度を有することを特徴とする請求項１から４のいずれか一項に記載の超伝導磁石コイルシステム。
【請求項８】
前記超伝導磁石コイルシステムは、前記第２の電気ループ中の前記電流の低減のために加熱電圧を供給され得る少なくとも１つの第２の加熱要素（６’）を備え、前記第２の電気ループの前記直列接続された主コイル部分（３、１４）のうち前記第３の主コイル部分（３）のみが前記第２の加熱要素（６’）と熱的に接触していることを特徴とする請求項７に記載の超伝導磁石コイルシステム。
【請求項９】
前記第２のクエンチ保護要素（８、８’’）は前記第１の加熱要素（９）として機能することを特徴とする請求項１から８のいずれか一項に記載の超伝導磁石コイルシステム。
【請求項１０】
前記第１のクエンチ保護要素（９）は前記第２のクエンチ保護要素（８’）に並列に接続されることを特徴とする請求項１から８のいずれか一項に記載の超伝導磁石コイルシステム。
【請求項１１】
前記主コイル部分のうちの少なくとも１つ、特に前記第１の主コイル部分（１）を監視するクエンチ診断要素（１２）を備える加熱制御デバイス（１０）が設けられ、前記監視された主コイル部分（１）のクエンチ発生時、前記加熱制御デバイス（１０）は追加の加熱要素（１１）に電圧を供給し、直列に接続された前記第１の電気ループの前記主コイル部分（１、２）のうち前記第２の主コイル部分（２）のみが前記追加の加熱要素（１１）と熱的に接触していることを特徴とする請求項１から１０のいずれか一項に記載の超伝導磁石コイルシステム。
【請求項１２】
前記主コイル部分（１、２、３、４、１４）は半径方向において互いに入れ子状に配置されることを特徴とする請求項１から１１のいずれか一項に記載の超伝導磁石コイルシステム。
【請求項１３】
前記第１の主コイル部分（１）は、磁石コイル配置の最も内側の主コイル部分であることを特徴とする請求項１から１２のいずれか一項に記載の超伝導磁石コイルシステム。
【請求項１４】
前記第１の加熱要素は、前記超伝導磁石コイルシステムの動作中に臨界電流ＩＣに対する磁石電流Ｉ０の比Ｉ０／ＩＣが前記第２の主コイル部分内で最も大きい位置に配置されることを特徴とする請求項１から１３のいずれか一項に記載の超伝導磁石コイルシステム。
【請求項１５】
前記超伝導磁石コイルシステムは超伝導ＮＭＲ磁石コイルシステムであることを特徴とする請求項１から１４のいずれか一項に記載の超伝導磁石コイルシステム。
【請求項１６】
前記第１の電気ループ中の前記第２の電気ループの主コイル部分のクエンチ発生時、前記第１の加熱要素によってもっぱら前記第２の主コイル部分が加熱されることを特徴とする請求項１から１５のいずれか一項に記載の超伝導磁石コイルシステムを動作させるための方法。
【発明の詳細な説明】
【技術分野】
【０００１】
本発明は、第１の超伝導材料を備える少なくとも１つの導体をもつ少なくとも１つの第１の主コイル部分と、第２の超伝導材料を備える少なくとも１つの導体をもつ少なくとも１つの第２の主コイル部分とを備える超伝導磁石コイルシステムであって、第１の超伝導材料は第２の超伝導材料よりも高い臨界温度を有し、第１および第２の主コイル部分は、動作中に電流がそれらの中を同じ方向に流れるような方法で直列に互いに接続され、第１の主コイル部分および第２の主コイル部分は、共通の第１のクエンチ保護要素によってブリッジされ、クエンチ保護要素とともに第１の電気ループ（保護ネットワークループ）を形成し、第２の電気ループの一部である超伝導材料から作られた導体をもつ少なくとも１つの第３の主コイル部分を備え、第２のループは第２のクエンチ保護要素を備え、第１のループに直列に接続される超伝導磁石コイルシステムに関する。
【背景技術】
【０００２】
このような磁石コイルシステムは、例えば独国特許出願公開第１０  ２００９  ０２９  ３７９  Ｂ４号明細書から知られる。
【０００３】
従来の超伝導ＮＭＲ磁石コイルシステムでは、通常、ＮｂＴｉおよびＮｂ３Ｓｎワイヤが使用され、これにより、ＮＭＲ磁石コイルシステムの磁界強度が現在約２３．５Ｔに限定される。より高い磁界強度を達成するために、または所定の磁界強度をもつ磁石コイルシステムをよりコンパクトに構成するためには代替の導体材料を使用する必要がある。これに関連して、ＨＴＳストリップ導体（例えばＹＢＣＯストリップ）の使用が主に調査されている。この場合、磁石コイルシステムは完全にＨＴＳ材料から製造されるとは限らない。コストの理由で、ＨＴＳ材料を最も内側の部分にのみ使用し、背景磁石を従来の「低温超伝導体」（ＬＴＳ）技術（ＮｂＴｉまたはＮｂ３Ｓｎ）で製造することが有利である。
【０００４】
しかしながら、新しいＨＴＳ材料は、超伝導磁石のクエンチ保護に特殊な要件を課す。「クエンチ」は、電流搬送超伝導体の過負荷による、超伝導状態から常伝導状態への磁石コイルの自発遷移を示す。クエンチは通常、局所的および自発的に始まり、次いで、数秒のうちに磁石中に伝搬する。この事象は、超伝導体における高い電圧、電流および力に関連することがあり、これによって今度は磁石が破壊され得る。
【０００５】
ＮＭＲ磁石のための典型的なクエンチ保護回路では、個々のセクションまたは個々のセクションのゾーンが保護抵抗器と並列に接続され、これにより、保護ネットワークのループが形成される。異なる保護ネットワークループがさらに直列に接続される。このようにして、クエンチ持続時間およびクエンチ電圧を低く保つことが可能である（Ｗｉｌｓｏｎ  “Ｓｕｐｅｒｃｏｎｄｕｃｔｉｎｇ  ｍａｇｎｅｔｓ”，  Ｃｈａｐｔｅｒ  ９．８，  ｐａｇｅｓ  ２２６ｆｆ，  １９８３，  Ｏｘｆｏｒｄ  Ｕｎｉｖｅｒｓｉｔｙ  Ｐｒｅｓｓを参照）。
【０００６】
しかしながら、典型的なＨＴＳの性質は、クエンチの場合に悪影響を受ける。ＨＴＳ材料の高い臨界温度（零磁界：ＹＢＣＯ  約９０Ｋ、Ｎｂ３Ｓｎ  約１８Ｋ、ＮｂＴｉ  約１０Ｋ）は、クエンチが背景磁石のＮｂＴｉまたはＮｂ３Ｓｎ部分において始まるとき、遅い「コクエンチング（co-quenching）」を招く。コクエンチングは、（例えば保護ネットワークループへの細分化の場合の）クエンチ保護の概念に応じて、ＨＴＳセクションにおいて電流または力を増加させる。その上、ＨＴＳセクションにおける遅いクエンチ伝搬は局所的過熱を招き、これにより、今度は導体の焼損が引き起こされることがある。したがって、超伝導体が遅くクエンチするループでは、電流および力の増加が起こり得、それにより、場合によっては超伝導体に過負荷がかけられる。
【０００７】
独国特許出願公開第１０  ２００９  ０２９  ３７９号明細書は、磁石クエンチ（例えばＨＴＳ）の開始後に遅くのみクエンチする各セクションが、高速にまたは早くクエンチするコイル部分とともに共通ループにおいて保護される磁石コイルシステムを開示している。その結果、通常ならば極めて遅くクエンチするＨＴＳセクションにおける電流の増加（または焼損）を防止するために、通常ならば遅くクエンチするループにおける電流の増加が防止される。
【０００８】
電流の増加を回避するために、さらなる加熱によってクエンチを開始することが、米国特許出願公開第７６４９７２０  Ｂ２号明細書から知られている。ＨＴＳ導体における活動的クエンチ伝搬の改善は、ＨＴＳ巻回において多くの大規模な加熱器を使用することによって実現される。しかしながら、これの欠点は、クエンチ発生時、ＨＴＳセクションが依然として破壊される危険があることである。その上、追加の加熱器を用いたこれらのセクションの巻回中の製造コストは極めて高く、これらのセクションによって生成される磁界の均一性は、複数の加熱器と、関連する巻回の非真円度とによって損なわれ得る。
【発明の概要】
【発明が解決しようとする課題】
【０００９】
本発明の目的は、小さい外形寸法をもつ磁石コイルシステムであって、その外形寸法にもかかわらず高い磁界強度を達成することができ、クエンチ事象に対して耐性を有する、磁石コイルシステムを提案することである。
【課題を解決するための手段】
【００１０】
この目的は、本発明によれば、請求項１に記載の磁石コイルシステムによって、および請求項１６に記載の方法によって達成される。
【００１１】
本発明によれば、磁石コイルシステムは、特に第３の主コイル部分のクエンチ発生時、第１のループ中の電流の低減のために加熱電圧を供給され得る少なくとも１つの第１の加熱要素を備え、第１のループの直列接続された主コイル部分のうち第２の主コイル部分のみが第１の加熱要素と熱的に接触している。
【００１２】
このようにして、本発明に係る磁石コイルシステムの第１の加熱要素は、第１のループ中の電流が低減されるべきである場合、特に第３の主コイル部分がクエンチする場合、加熱電圧を供給されるように構成される。
【００１３】
第１の主コイル部分のより高い臨界温度のために、および同程度の導体負荷ＩＭａｇｎｅｔ／Ｉｃの場合（Ｉｃは超伝導体の臨界電流を示し、導体の位置における磁界に依存する）、クエンチは、第１の主コイル部分では、第２の主コイル部分よりも緩やかに伝搬し、それにより、クエンチ発生時、第１の主コイル部分の超伝導体の損傷につながり得る。本発明に係る配線および加熱により、第１および第２の主コイル部分の直列接続内における（クエンチがどこで発生するかに拘わらず）クエンチ発生時、最も低い臨界温度を有する（すなわち、最も高速にクエンチする）主コイル部分のみが加熱される。したがって、第２の主コイル部分には早期にクエンチが発生し、これにより、第１の主コイル部分において電流が著しく増加し得る前に、第１のループにおいて電流が低減される。
【００１４】
本発明に係る磁石コイルシステムでは、より高い臨界温度をもつ主コイル部分（第１の主コイル部分）は、クエンチ発生時に破壊され得る確率が高いため加熱されないが、同じループ中にあり、より低い臨界温度をもつ第２の主コイル部分のみが加熱される。したがって、第２の主コイル部分は第１の主コイル部分とともに急速に放電することができ、これにより、（好ましくはＨＴＳ材料から作られた）第１の主コイル部分におけるクエンチは回避可能であるかまたは危険性が低い（ＨＴＳセクションがクエンチするとしても、電流が十分急速に降下する場合、損傷は生じない）。
【００１５】
第１の加熱要素と第２の主コイル部分との間の熱的接触は、好ましくは熱伝導接触によってもたらされる。本発明に係る加熱要素は、例えば、加熱されるべき主コイル部分の２つの層の間の巻回パックにはめこまれた加熱器フィルムを備えることができる。この目的のために、極めて薄いマンガニンワイヤの加熱器巻回が蛇行パターンで配置され得、例えば２つの薄いカプトンフィルム間に接着され得る。
【００１６】
第１の主コイル部分および第２の主コイル部分は、第２の主コイル部分が第１の主コイル部分とは独立して加熱されクエンチされ得るように、好ましくは空間的に分離される（異なる巻型）。主コイル部分は、主コイルセクション、または主コイルセクションの一部を備えることができる。
【００１７】
好ましい実施形態
第１の主コイル部分は、好ましくは、磁石コイルシステムのすべての主コイル部分のうち最も高い臨界温度を有する主コイル部分である。
【００１８】
特に好ましい実施態様では、第１の超伝導材料はＨＴＳ材料である。ＨＴＳ材料は、特に他の超伝導体が電流搬送能力を有しないかまたは有意な電流搬送能力を有しない高磁界ゾーン内で使用するための磁石コイルシステムにおいて使用される。しかしながら、ＨＴＳ材料は、例えば磁石コイルシステムのコンパクトな構成をつくり出すために、中間磁界ゾーン内でも有利に使用され得る。本発明の利点は、高い臨界温度のためにクエンチがＨＴＳ材料内で極めて緩やかに伝搬するので、ＨＴＳ材料が使用され、その結果、クエンチ中にＨＴＳ材料が（電流および／または過熱の増加によって）容易に損傷を受け得るときに特に効果的であり、これは、本発明によって防止される。
【００１９】
しかしながら、ＬＴＳ材料が第１の超伝導材料として使用されるときでも、本発明は、より高い臨界温度（Ｔｃ）または特に低い負荷（極めて小さい値ＩＭａｇｎｅｔ／Ｉｃ）のために第１の材料が第２の材料よりも緩やかにまたは後にクエンチする場合、好ましい効果を有する。したがって、例えば、第２の主コイル部分（ＮｂＴｉ）の本発明に係る加熱と組み合わせた、第１の主コイル部分としてのＮｂ３Ｓｎ主コイル部分と、第２の主コイル部分としてのＮｂＴｉ主コイル部分との共通接続は、Ｎｂ３Ｓｎ部分の直接加熱よりもＮｂ３Ｓｎ保護のためにより好都合であり得る。
【００２０】
第２の超伝導材料は、好ましくはＬＴＳ材料、特にＮｂＴｉまたはＮｂ３Ｓｎである。
【００２１】
特に好ましい実施態様では、第２のクエンチ保護要素は第３の主コイル部分をブリッジする。この場合、第３の主コイル部分は、好ましくはＬＴＳ材料、特にＮｂＴｉまたはＮｂ３Ｓｎを備える。
【００２２】
第１の主コイル部分および第２の主コイル部分は、好ましくは半径方向において互いの直後にくる。したがって、第１のループの２つの隣接する主コイル部分は、特に簡易に互いに接続され得る。代替として、第２のまたはさらなる電気ループの主コイル部分は、半径方向において第１の主コイル部分と第２の主コイル部分との間に配置され得る。
【００２３】
特殊な実施形態では、第２のクエンチ保護要素は、第３の主コイル部分と、超伝導材料から作られた導体をもつ第４の主コイル部分とを備える直列接続をブリッジし、第４の主コイル部分の超伝導材料は、第３の主コイル部分の超伝導材料よりも高い臨界温度を有する。第３および第４の主コイル部分は、動作中に電流がそれらの中を同じ方向に流れるような方法で直列に互いに接続される。第１および第４の主コイル部分は、好ましくは同じ（第１の）超伝導材料、特にＨＴＳ材料を備え、第２および第３の主コイル部分は、同じ（第２の）超伝導材料、特にＬＴＳ材料を備える。したがって、本実施形態では、磁石コイル配置のＨＴＳ材料が、２つのループにわたって分配され、各ループ内で、ＬＴＳ材料から作られた主コイル部分とともに保護される。ＨＴＳ層が２つのループにわたって分配されるとき、個々のループ各々のインダクタンス、ひいては電流の減衰時間は低減され得る。これは、ＨＴＳセクションが高いインダクタンスを有し、これによってクエンチ発生時に対応するループ内の電流が緩やかに低減することを保証するはずであるため、ＨＴＳセクションが多くの層とともに使用される場合に特に興味深い。
【００２４】
特に有利な実施形態では、磁石コイルシステムは、特に第１のループ内の第２の主コイル部分のクエンチ発生時、第２のループ内の電流を低減するために加熱電圧を供給され得る少なくとも１つの第２の加熱要素を備え、第２のループの直列接続された主コイル部分のうち第３の主コイル部分のみが第２の加熱要素と熱的に接触している。したがって、第２の加熱要素は、第２のループ内の電流が低減されるべきである場合、特に第２の主コイル部分がクエンチする場合、加熱電圧を供給されるように構成される。第１の加熱要素の接続と同様に、第３および第４の主コイル部分の直列接続で説明したように接続された第２の加熱要素は、クエンチの場合、最も低い臨界温度を有し、したがって最も速くクエンチする、第２のループの主コイル部分（第３の主コイル部分）のみを加熱する。したがって、第３の主コイル部分には早期にクエンチが発生し、これにより、第４の主コイル部分において電流が増加し得る前に、第２のループにおいて電流が低減される。
【００２５】
第２のクエンチ保護要素は、好ましくは第１の加熱要素として機能する。特に、第２のクエンチ保護要素は抵抗器として形成され得、クエンチ発生時に抵抗器から放たれる熱が、第２の主コイル部分を加熱するために使用される。同様に、第１のクエンチ保護要素は第２の加熱要素として機能することができる。
【００２６】
代替実施形態では、第１の加熱要素は第２のクエンチ保護要素に並列に接続される。同様に、第２のクエンチ保護要素は第１の加熱要素に並列に接続され得る。
【００２７】
クエンチ発生時、加熱要素によって、または加熱要素に並列に接続されたクエンチ保護要素によってブリッジされた主コイル部分の当該加熱要素には、電圧が自動的に供給される。
【００２８】
また、さらなるクエンチ保護要素によってそれぞれブリッジされた、複数のさらなる主コイル部分があり得る。この場合、これらのさらなるクエンチ保護要素はそれぞれ、（特に第２または第３の主コイル部分のための）高い臨界温度をもつ主コイル部分として同じループ内に位置する、低い臨界温度をもつ主コイル部分のための加熱要素として働くことができるか、あるいは加熱要素は、これらのさらなるクエンチ保護要素のうちの少なくとも１つに、好ましくはすべてのさらなるクエンチ保護要素に並列に接続され得る。
【００２９】
磁石システムの充電／放電中に、第１の加熱要素と熱的に接触している第２の主コイル部分内への熱の導入を回避するために（交差された）ダイオードが使用され得る。その後、電流は、充電／放電中に電圧降下を上回っているがクエンチ発生時に極めて急速に超過する、しきい値電圧を超過したときのみ流れる。
【００３０】
本発明による磁石コイルシステムの特に好ましい実施形態は、主コイル部分のうちの少なくとも１つ、特に第１の主コイル部分を監視するクエンチ診断要素を備える加熱制御デバイスが設けられることを提供し、監視された主コイル部分のクエンチ発生時、加熱制御デバイスは追加の加熱要素に電圧を供給し、直列に接続された第１のループの主コイル部分のうち第２の主コイル部分のみが追加の加熱要素と熱的に接触している。このような「能動的クエンチ管理」にとって、ＨＴＳ材料から作られた第１の主コイル部分（ＨＴＳセクション）が極めて特に興味深い。第１の主コイル部分におけるクエンチ発生時、クエンチ診断要素は、好ましくは第１のクエンチ保護要素にわたる電圧降下を検出する。この信号は、次いで、第２の主コイル部分内の加熱要素を作動させるために、ひいては第２の主コイル部分におけるクエンチを高速化するために、および第１の主コイル部分に対する負荷を急速に低減させるために使用され得る。したがって、第１の主コイル部分がＨＴＳ主コイル部分として設計され、たとえ（緩やかに）クエンチし始めても、それに伴う電圧上昇はクエンチ診断要素のためのトリガとして使用され、クエンチ診断要素は、次いで、（ＨＴＳ主コイル部分とともに接続された）別の主コイル部分における高速クエンチを開始することができる。
【００３１】
複数のＨＴＳ主コイル部分が異なるループ内に存在する場合、複数の診断タップが好適に提供される（ＨＴＳ材料をもつループごとに１つ）。
【００３２】
クエンチ診断要素によって別の主コイル部分を監視することも可能であり、クエンチ診断要素は、クエンチ発生時、第２の主コイル部分と熱的に接触している加熱要素に電圧を供給する。その上、クエンチ保護要素として設計された加熱要素を作動させるには十分でない程度に電圧がまだ極めて小さい限り、クエンチを検出することがすでに可能であり、対応して迅速に反応することが可能である。
【００３３】
複数のＨＴＳ主コイル部分が提供される場合、主コイル部分のうちの１つを監視する第２のクエンチ診断要素を備える、第２の加熱制御デバイスが提供されると有利であり、加熱制御デバイスは、監視された主コイル部分のクエンチ発生時、第１または第２の加熱要素に電圧を供給する。
【００３４】
主コイル部分は、特に同心円状に配置されたソレノイドコイル部分として、半径方向において互いに入れ子状に配置される。
【００３５】
より高い臨界温度をもつ第１の主コイル部分は、第２の主コイル部分よりも半径方向においてさらに内側に好適に配置される。特に好ましい実施形態では、第１の主コイル部分は、磁石コイル配置の最も内側の主コイル部分である。
【００３６】
超伝導体が磁石コイルシステムの動作中に最も高いＩｃ負荷を有する位置において加熱要素が第２の主コイル部分内に配置される場合、特に有利である。したがって、加熱要素は、臨界電流ＩＣに対する磁石電流Ｉ０の比Ｉ０／ＩＣが第２の主コイル部分内で最も大きい位置に配置される。これは、概して、臨界電流が最も小さい位置になる。臨界電流は、今度は、導体の位置における磁界に依存する。磁界が強くなるほど、臨界電流はより小さくなる。しかしながら、臨界電流の大きさは導体における超伝導体材料の割合にも依存する。原則として、低磁界において低割合の超伝導体材料をもつ導体は、高磁界において極めて大量の超伝導体材料をもつ導体よりも高いＩＣ負荷を有し得る。したがって、比Ｉ０／ＩＣは特定の超伝導体にとって重要である。しかしながら、最も大きい容量をもつ導体はまた、通常、それぞれの超伝導材料の最も強い磁界内にある。
【００３７】
本発明に係る磁石コイルシステムは、好ましくは超伝導ＮＭＲ磁石コイルシステムである。最も強い磁界を達成可能とするためには最も内側の主コイル部分にＨＴＳ材料を使用する必要があり、当該最も内側の主コイル部分は、クエンチ発生時、本発明に係る保護回路によって過熱または力過負荷に対して特に効果的に保護され得る。
【００３８】
本発明はまた、第２の電気ループの主コイル部分のクエンチ発生時、第１の加熱要素によってもっぱら第２の主コイル部分が加熱されることを特徴とする、前述の超伝導磁石コイルシステムを動作させるための方法に関係する。
【００３９】
本発明のさらなる利点は本明細書および図面によって開示される。同様に、上記で言及した特徴および本明細書で提示するさらなる特徴は、本発明に従ってそれぞれ単独で使用され得るか、あるいはいくつかが任意の組合せで使用され得る。図示および説明する実施形態は、決定的な記載としてではなく、むしろ本発明の説明のための例として理解されたい。
【図面の簡単な説明】
【００４０】
【図１ａ】第２のループのクエンチ保護要素が加熱要素として機能する、本発明に係る磁石コイルシステムの一実施形態の概略縦断面図である。
【図１ｂ】図１ａによる配置の回路図である。
【図２】加熱要素が第２のループのクエンチ保護要素に並列に接続された、本発明による磁石コイルシステムの第２の実施形態の概略縦断面図である。
【図３】追加の加熱要素が、クエンチ診断要素をもつ加熱制御デバイスによって制御される、本発明に係る磁石コイルシステムの第３の実施形態の概略縦断面図である。
【図４ａ】ＨＴＳ主コイル部分をもつ保護ネットワークの複数のループが設けられた本発明に係る磁石コイルシステムのさらなる実施形態の概略縦断面図である。
【図４ｂ】図４ａによる配置の回路図である。
【発明を実施するための形態】
【００４１】
図１ａ、図１ｂおよび図２は、第１の超伝導材料から作られた第１の主コイル部分１（ＨＴＳ主コイル部分）と、第２の超伝導材料から作られた第２の主コイル部分２（内側ＮｂＴｉ主コイル部分）と、第３の主コイル部分３と、さらなる主コイル部分４とをもつ磁石コイル配置であって、さらなる主コイル部分４は、超伝導材料としてＮｂ３Ｓｎを備え、半径方向において第１の主コイル部分１と第２の主コイル部分２との間に配置される磁石コイル配置の２つの実施形態を示す。第１の主コイル部分１および第２の主コイル部分２は、それらが直列電気的接続で互いの直後にくるような方法で直列に互いに接続される。第３の主コイル部分３は、超伝導材料としてＮｂＴｉを備え、主コイル５の半径方向において最も外側の主コイル部分を形成する。第１の主コイル部分１および第２の主コイル部分２は、共通の（第１の）クエンチ保護要素６によって保護され、この要素とともに保護ネットワークループ（第１の電気ループ）を形成する。このようにして、ＨＴＳ主コイル部分１および内側ＮｂＴｉ主コイル部分２は互いに接続される。第３の主コイル部分３は第２のクエンチ保護要素８によって保護され、さらなる主コイル部分４はさらなるクエンチ保護要素７によって保護され、第３の主コイル部分３は第２のクエンチ保護要素８とともに第２の保護ネットワークループを形成し、さらなる主コイル部分４はさらなるクエンチ保護要素７とともにさらなる保護ネットワークループを形成する。
【００４２】
磁石クエンチが内側ＮｂＴｉ主コイル部分２において開始した場合、クエンチしているＮｂＴｉ主コイル部分２とＨＴＳ主コイル部分１とを備える、第１の保護ネットワークループにおける磁石電流は、直ちに降下する。外側ＮｂＴｉ主コイル部分３（またはＮｂ３Ｓｎ主コイル部分４も）がクエンチした場合、内側ＮｂＴｉ主コイル部分２も、典型的にはそれのＩｃ容量限界において動作されるので、すぐにクエンチする。しかしながら、この時間遅延は短いものにすぎないが、ＨＴＳ主コイル部分１における電流の増加と、第１の主コイル部分１のＨＴＳ材料の破壊とを招き得る。これを防止するために、本発明によれば、クエンチが別の主コイル部分において（この場合は外側ＮｂＴｉ主コイル部分３において）起きた場合、内側ＮｂＴｉ主コイル部分２におけるクエンチが加速するように、もっぱら内側ＮｂＴｉ主コイル部分２を加熱する加熱要素９が提供される。このようにして、電流および入熱の増加、ひいてはＨＴＳ材料におけるクエンチの危険が回避される。
【００４３】
したがって、ＨＴＳ主コイル部分１はＮｂＴｉ主コイル部分２とともに保護され、磁石クエンチ発生時、第２の主コイル部分２におけるクエンチ伝搬は、本発明によれば、第２の主コイル部分２を加熱することによって加速される。
【００４４】
図１に示されている実施形態では、（第２の）クエンチ保護要素８は外側ＮｂＴｉ主コイル部分３の第１の加熱要素９として機能し、したがって、クエンチ発生時、熱は、クエンチ保護要素８によって第２の主コイル部分２に直接導入される。対応する回路図が図１ｂに示されている。ただし、ＮｂＴｉ主コイル部分３のためのクエンチ保護要素８’を提供することも可能であり、このクエンチ保護要素は加熱要素として働かないが、図２に示されているように、加熱要素９に並列に電気的に接続される。クエンチ発生時、電圧降下は、クエンチ保護要素８’上および加熱要素９上で同じであるので、この実施形態では、クエンチ発生時、第２の主コイル部分２への入熱も直ちに起こる。
【００４５】
同様に、さらなる主コイル部分４におけるクエンチ発生時、内側ＮｂＴｉ主コイル部分２におけるクエンチ加速するために、さらなるクエンチ保護要素７も加熱要素として機能することができ、あるいは加熱要素（図示せず）に並列に接続され得る。
【００４６】
このようにして、本発明に係る磁石コイル配置は、第２のループの主コイル部分３のクエンチ発生時、ＨＴＳ主コイル部分１自体におけるクエンチ伝搬速度にかかわらず、ＨＴＳ主コイル部分１における電流がその場合急速に減少することができるので、第１のループにおいてＨＴＳ主コイル部分１とともに保護されるＮｂＴｉ主コイル部分２を加熱／クエンチすることによってＨＴＳ主コイル部分１における電流の低減が加速される。
【００４７】
図３は、加熱制御デバイス１０（能動的電子システム）がさらに設けられた一実施形態を示す。本実施形態では、磁石クエンチがＨＴＳ主コイル部分１において開始した場合、それのクエンチ電圧は、第２の主コイル部分２を（能動的に）クエンチするためのトリガとして使用され得、それによって、共通の第１のループ中の電流減衰が加速される。結果として、ＨＴＳ主コイル部分における低いクエンチ伝搬速度が問題を呈することはなくなる。この目的のために、第１の（ＨＴＳ）主コイル部分１のクエンチ発生時、加熱制御デバイス１０は、追加の加熱要素１１によって第２の主コイル部分２への入熱を実施する。この目的のために、クエンチ診断要素１２は、ＨＴＳ主コイル部分１のクエンチ保護要素６全体の電圧降下を検出する。限界値（クエンチの発生）を超過したとき、加熱制御要素１３は加熱要素１１を作動させる。したがって、クエンチ発生時、ＨＴＳ主コイル部分１自体におけるクエンチ伝搬にかかわらず、クエンチングＨＴＳ主コイル部分１における電流降下は加速される。同様に、クエンチ発生時、第１の保護ネットワークループ外の主コイル部分において、対応するクエンチ保護要素７、８上の電圧降下は、加熱制御デバイスによって第２の主コイル部分２におけるクエンチを開始するためのトリガとして使用され得る。クエンチ診断要素１２は、次いで、対応する主コイル部分３、４のクエンチ保護要素７、８全体の電圧降下を監視する。
【００４８】
第２の主コイル部分２の加熱は、単一の加熱要素によってまたは複数の加熱要素によって行われ得る。異なる加熱要素が異なる主コイル部分１、３、４におけるクエンチによって作動される場合、特に有利である。
【００４９】
図４ａ、図４ｂは、第１のループと、また第２のループの両方がＨＴＳ主コイル部分１または１４を有する、本発明に係る磁石コイル配置のさらなる実施形態を示す。第１のループでは、第１の主コイル部分１（ＨＴＳ主コイル部分）と第２の主コイル部分２（ＮｂＴｉ主コイル部分）との直列接続が第１のクエンチ保護要素６’によってブリッジされる。第２のループでは、第４の主コイル部分１４（ＨＴＳ主コイル部分）と第３の主コイル部分３（ＮｂＴｉ主コイル部分）との直列接続が第２のクエンチ保護要素８’’によってブリッジされる。このようにして、本実施形態では、ＨＴＳゾーン（第１の主コイル部分１および第４の主コイル部分１４）は異なるループにわたって分配される。両方のループにおけるＨＴＳ材料中の電流の増加を防止するために、２つのクエンチ保護要素６’、８’’は、各場合においてそれぞれの他方のループのＨＴＳ主コイル部分１、１４のための加熱要素として機能する。加熱要素として機能するクエンチ保護要素６’、８’’は第２または第３の主コイル部分２、３とのみ熱的に接触しており、したがって、一方におけるクエンチ発生時、ＨＴＳ主コイル部分１、１４は加熱されず、これにより、ＨＴＳ主コイル部分への損傷は回避され、他方では、電流の著しい増加がＨＴＳ主コイル部分において起こり得る前に、ループ中の電流は、ＬＴＳ主コイル部分２、３の加熱することによって低減される。
【００５０】
本発明による磁石コイルシステムでは、（クエンチが第１の主コイル部分１の外部で発生する場合）第１の主コイル部分１の材料におけるクエンチが防止され得、あるいは（第１の主コイル部分１自体がクエンチする場合）第１の主コイル部分１における電流の減衰が加速され得る。
【００５１】
本発明に関して、第１の主コイル部分がＨＴＳ材料を含んでおり、第２の主コイル部分がＮｂＴｉを含んでいる場合について説明した。しかしながら、第１の主コイル部分の臨界温度が第２の主コイル部分の臨界温度よりも大きい限り、他の材料の組合せも可能である。
【符号の説明】
【００５２】
１  第１の主コイル部分（第１のループのＨＴＳ主コイル部分）
２  第２の主コイル部分（第１のループのＮｂＴｉ主コイル部分）
３  第３の主コイル部分（第２のループのＮｂＴｉ主コイル部分）
４  さらなる主コイル部分（Ｎｂ３Ｓｎ主コイル部分）
５  主コイル
６、６’  第１のクエンチ保護要素
７  さらなるクエンチ保護要素
８、８’、８’’  第２のクエンチ保護要素
９  第１の加熱要素
１０  加熱制御デバイス
１１  追加の加熱要素
１２  クエンチ診断要素
１３  加熱制御要素
１４  第４の主コイル部分（第２のループのＮｂＴｉ主コイル部分）
【図１ａ】
0006676518.tif 000002
【図１ｂ】
0006676518.tif 000003
【図２】
0006676518.tif 000004
【図３】
0006676518.tif 000005
【図４ａ】
0006676518.tif 000006
【図４ｂ】
0006676518.tif 000007